(57)【要約】【課題】基材の表面近傍をごく短時間だけ均一に高温熱処理するに際して、あるいは、反応ガスによるプラズマまたはプラズマと反応ガス流を同時に基材へ照射して基材を低温プラズマ処理するに際して、プラズマを安定的かつ効率的に発生させ、基材の所望の被処理領域全体を短時間で効率よく処理することができるプラズマ処理装置を提供することを目的とする。【解決手段】誘導結合型プラズマトーチユニットＴにおいて、ソレノイドコイル３が第一石英ブロック４及び第二石英ブロック５の近傍に配置され、長尺チャンバ内部の空間７は環状である。長尺チャンバ内部の空間７に発生したプラズマＰは、長尺チャンバにおける長尺で線状の開口部８において基材２に曝露される。開口部８の長手方向に対して垂直な向きに、長尺チャンバと基材載置台１とを相対的に移動させることで、基材２を処理する。【選択図】図１
2015144129.tif 000002
【特許請求の範囲】
【請求項１】
線状の開口部を備えた誘電体製の環状チャンバと、
前記環状チャンバの内部にガスを導入するガス供給配管と、
前記環状チャンバの近傍に設けられたコイルと、を有する誘導結合型プラズマトーチユニットと、を備え、
前記コイルに接続される高周波電源と、
前記開口部に対向して配置され、かつ、基材を載置する基材載置台と、を有する、
プラズマ処理装置。
【発明の詳細な説明】
【技術分野】
【０００１】
本発明は、熱プラズマを基材に照射して基材を処理する熱プラズマ処理や、反応ガスによるプラズマまたはプラズマと反応ガス流を同時に基材へ照射して基材を処理する低温プラズマ処理などの、プラズマ処理装置に関するものである。
【背景技術】
【０００２】
従来、多結晶シリコン（ｐｏｌｙ−Ｓｉ）等の半導体薄膜は薄膜トランジスタ（ＴＦＴ：Ｔｈｉｎ  Ｆｉｌｍ  Ｔｒａｎｓｉｓｔｏｒ）や太陽電池に広く利用されている。とりわけ、ｐｏｌｙ−ＳｉＴＦＴは、キャリア移動度が高いうえ、ガラス基板のような透明の絶縁基板上に作製できるという特徴を活かして、例えば、液晶表示装置、液晶プロジェクタや有機ＥＬ表示装置などの画素回路を構成するスイッチング素子として、或いは液晶駆動用ドライバの回路素子として広く用いられている。
【０００３】
ガラス基板上に高性能なＴＦＴを作製する方法としては、一般に「高温プロセス」と呼ばれる製造方法がある。ＴＦＴの製造プロセスの中でも、工程中の最高温度が１０００℃程度の高温を用いるプロセスを一般的に「高温プロセス」と呼んでいる。高温プロセスの特徴は、シリコンの固相成長により比較的良質の多結晶シリコンを成膜することができる点、シリコンの熱酸化により良質のゲート絶縁層を得ることができる点、及び清浄な多結晶シリコンとゲート絶縁層との界面を形成できる点である。高温プロセスではこれらの特徴により、高移動度でしかも信頼性の高い高性能ＴＦＴを安定的に製造することができる。
【０００４】
他方、高温プロセスは固相成長によりシリコン膜の結晶化を行うプロセスであるために、６００℃程度の温度で４８時間程度の長時間の熱処理を必要とする。これは大変長時間の工程であり、工程のスループットを高めるためには必然的に熱処理炉を多数必要とし、低コスト化が難しいという点が課題である。加えて、耐熱性の高い絶縁性基板として石英ガラスを使わざるを得ないため基板のコストが高く、大面積化には向かないとされている。
【０００５】
一方、工程中の最高温度を下げ、安価な大面積のガラス基板上にｐｏｌｙ−ＳｉＴＦＴを作製するための技術が「低温プロセス」と呼ばれる技術である。ＴＦＴの製造プロセスの中でも、最高温度が概ね６００℃以下の温度環境下において比較的安価な耐熱性のガラス基板上にｐｏｌｙ−ＳｉＴＦＴを製造するプロセスは、一般に「低温プロセス」と呼ばれている。低温プロセスでは、発振時間が極短時間のパルスレーザーを用いてシリコン膜の結晶化を行うレーザー結晶化技術が広く使われている。レーザー結晶化とは、基板上のシリコン薄膜に高出力のパルスレーザー光を照射することによって瞬時に溶融させ、これが凝固する過程で結晶化する性質を利用する技術である。
【０００６】
しかしながら、このレーザー結晶化技術には幾つかの大きな課題がある。一つは、レーザー結晶化技術によって形成したポリシリコン膜の内部に局在する多量の捕獲準位である。この捕獲準位の存在により、電圧の印加によって本来能動層を移動するはずのキャリアが捕獲され、電気伝導に寄与できず、ＴＦＴの移動度の低下、閾値電圧の増大といった悪影響を及ぼす。更に、レーザー出力の制限によって、ガラス基板のサイズが制限されるといった課題もある。レーザー結晶化工程のスループットを向上させるためには、一回で結晶化できる面積を増やす必要がある。しかしながら、現状のレーザー出力には制限があるため、第７世代（１８００ｍｍ×２１００ｍｍ）といった大型基板にこの結晶化技術を採用する場合には、基板一枚を結晶化するために長時間を要する。
【０００７】
また、レーザー結晶化技術は一般的にライン状に成形されたレーザーが用いられ、これを走査させることによって結晶化を行なう。このラインビームは、レーザー出力に制限があるため基板の幅よりも短く、基板全面を結晶化するためには、レーザーを数回に分けて走査する必要がある。これによって基板内にはラインビームの継ぎ目の領域が発生し、二回走査されてしまう領域ができる。この領域は一回の走査で結晶化した領域とは結晶性が大きく異なる。そのため両者の素子特性は大きく異なり、デバイスのバラツキの大きな要因となる。最後に、レーザー結晶化装置は装置構成が複雑であり且つ、消耗部品のコストが高いため、装置コストおよびランニングコストが高いという課題がある。これによって、レーザー結晶化装置によって結晶化したポリシリコン膜を使用したＴＦＴは製造コストが高い素子になってしまう。
【０００８】
このような基板サイズの制限、装置コストが高いといった課題を克服するため、「熱プラズマジェット結晶化法」と呼ばれる結晶化技術が研究されている（例えば、非特許文献１を参照）。本技術を以下に簡単に説明する。タングステン（Ｗ）陰極と水冷した銅（Ｃｕ）陽極を対向させ、ＤＣ電圧を印加すると両極間にアーク放電が発生する。この電極間に大気圧下でアルゴンガスを流すことによって、銅陽極に空いた噴出孔から熱プラズマが噴出する。熱プラズマとは、熱平衡プラズマであり、イオン、電子、中性原子などの温度がほぼ等しく、それらの温度が１００００Ｋ程度を有する超高温の熱源である。このことから、熱プラズマは被熱物体を容易に高温に加熱することが可能であり、ａ−Ｓｉ膜を堆積した基板が超高温の熱プラズマ前面を高速走査することによってａ−Ｓｉ膜を結晶化することができる。
【０００９】
このように装置構成が極めて単純であり、且つ大気圧下での結晶化プロセスであるため、装置を密閉チャンバ等の高価な部材で覆う必要が無く、装置コストが極めて安くなることが期待できる。また結晶化に必要なユーティリティは、アルゴンガスと電力と冷却水であるため、ランニングコストも安い結晶化技術である。
【００１０】
図１６は、この熱プラズマを用いた半導体膜の結晶化方法を説明するための模式図である。
【００１１】
同図において、熱プラズマ発生装置３１は、陰極３２と、この陰極３２と所定距離だけ離間して対向配置される陽極３３とを備え構成される。陰極３２は、例えばタングステン等の導電体からなる。陽極３３は、例えば銅などの導電体からなる。また、陽極３３は、中空に形成され、この中空部分に水を通して冷却可能に構成されている。
【００１２】
また、陽極３３には噴出孔（ノズル）３４が設けられている。陰極３２と陽極３３の間に直流（ＤＣ）電圧を印加すると両極間にアーク放電が発生する。この状態において、陰極３２と陽極３３の間に大気圧下でアルゴンガス等のガスを流すことによって、上記の噴出孔３４から熱プラズマ３５を噴出させることができる。ここで「熱プラズマ」とは、熱平衡プラズマであり、イオン、電子、中性原子などの温度がほぼ等しく、それらの温度が１００００Ｋ程度を有する超高温の熱源である。
【００１３】
このような熱プラズマを半導体膜の結晶化のための熱処理に利用することができる。具体的には、基板３６上に半導体膜３７（例えば、アモルファスシリコン膜）を形成しておき、当該半導体膜３７に熱プラズマ（熱プラズマジェット）３５を当てる。このとき、熱プラズマ３５は、半導体膜３７の表面と平行な第１軸（図示の例では左右方向）に沿って相対的に移動させながら半導体膜３７に当てられる。すなわち、熱プラズマ３５は第１軸方向に走査しながら半導体膜３７に当てられる。ここで「相対的に移動させる」とは、半導体膜３７（及びこれを支持する基板３６）と熱プラズマ３５とを相対的に移動させることを言い、一方のみを移動させる場合と両者をともに移動させる場合のいずれも含まれる。このような熱プラズマ３５の走査により、半導体膜３７が熱プラズマ３５の有する高温によって加熱され、結晶化された半導体膜３８（本例ではポリシリコン膜）が得られる（例えば、特許文献１を参照）。
【００１４】
図１７は、最表面からの深さと温度の関係を示す概念図である。同図に示すように、熱プラズマ３５を高速で移動させることにより、表面近傍のみを高温で処理することができる。熱プラズマ３５が通り過ぎた後、加熱された領域は速やかに冷却されるので、表面近傍はごく短時間だけ高温になる。
【００１５】
このような熱プラズマは、点状領域に発生させるのが一般的である。熱プラズマは、陰極３２からの熱電子放出によって維持されており、プラズマ密度の高い位置では熱電子放出がより盛んになるため、正のフィードバックがかかり、ますますプラズマ密度が高くなる。つまり、アーク放電は陰極の１点に集中して生じることとなり、熱プラズマは点状領域に発生する。
【００１６】
半導体膜の結晶化など、平板状の基材を一様に処理したい場合には、点状の熱プラズマを基材全体に渡って走査する必要があるが、走査回数を減らしてより短時間で処理できるプロセスを構築するには、熱プラズマの照射領域を広くすることが有効である。このため、古くから熱プラズマを大面積に発生させる技術が検討されている。
【００１７】
例えば、プラズマトーチの外ノズルより噴射するプラズマジェットに、外ノズルの中心軸線と交差する方向でプラズマジェットを広幅化させるための広幅化ガスを２ケ所から同時に噴出し、プラズマジェットを広幅化させる方法が開示されている（例えば、特許文献２を参照）。あるいは、ノズル通路の口部が、当該ノズル通路の軸芯に対して所定角度で傾斜していることを特徴とするプラズマノズルを設け、ノズル通路を構成するケーシング、またはそのケーシングの一部を、その長手軸芯回りに高速で回転させ、プラズマノズルをワークピースに沿って通過移動させる方法が開示されている（例えば、特許文献３を参照）。また、少なくとも一つの偏芯して配置されたプラズマノズルを持つ回転ヘッドを設けたものが開示されている（例えば、特許文献４を参照）。
【００１８】
なお、大面積を短時間で処理することを目的としたものではないが、熱プラズマを用いた溶接方法として、帯状電極を用い、その幅方向が溶接線方向となるように配置して溶接することを特徴とする高速ガスシールドアーク溶接方法が開示されている（例えば、特許文献５を参照）。
【００１９】
また、扁平な直方体状の絶縁体材料を用いた、線状の細長い形状をなす誘導結合型プラズマトーチが開示されている（例えば、特許文献６を参照）。
【００２０】
なお、長尺の電極を用いた細長い線状のプラズマを生成する方法が開示されている（例えば、特許文献７を参照）。熱プラズマを発生させるものと記載されているが、これは低温プラズマを発生させるものであり、熱処理に適した構成ではない。仮に熱プラズマを発生させたとすると、電極を用いた容量結合型であるため、アーク放電が一箇所に集中し、長尺方向に均一な熱プラズマを発生させることは困難と推察される。一方、低温プラズマ処理装置としては、エッチングガスやＣＶＤ（Ｃｈｅｍｉｃａｌ  Ｖａｐｏｒ  Ｄｅｐｏｓｉｔｉｏｎ）用のガスをプラズマ化することにより、エッチングや成膜などのプラズマ処理が可能な装置である。
【００２１】
また、マイクロストリップラインを用いて長尺プラズマを生成する方法が開示されている（例えば、特許文献８を参照）。この構成では、プラズマに接触するチャンバ壁面が完全には冷却できない（水冷流路によって囲まれていない）ので、熱プラズマ源としては動作できないものと考えられる。
【００２２】
また、複数の放電電極をライン状に並べることにより、線状の長尺プラズマトーチを形成するものが開示されている（例えば、特許文献９を参照）。
【先行技術文献】
【特許文献】
【００２３】
【特許文献１】特開２００８−５３６３４号公報
【特許文献２】特開平０８−１１８０２７号公報
【特許文献３】特開２００１−６８２９８号公報
【特許文献４】特表２００２−５００８１８号公報
【特許文献５】特開平０４−２８４９７４号公報
【特許文献６】特表２００９−５４５１６５号公報
【特許文献７】特開２００７−２８７４５４号公報
【特許文献８】特表２０１０−５３９３３６号公報
【特許文献９】特開２００９−１５８２５１号公報
【非特許文献】
【００２４】
【非特許文献１】Ｓ．Ｈｉｇａｓｈｉ，  Ｈ．Ｋａｋｕ，Ｔ．Ｏｋａｄａ，Ｈ．Ｍｕｒａｋａｍｉ  ａｎｄ  Ｓ．Ｍｉｙａｚａｋｉ，Ｊｐｎ．Ｊ．Ａｐｐｌ．Ｐｈｙｓ．４５，５Ｂ（２００６）ｐｐ．４３１３−４３２０
【発明の概要】
【発明が解決しようとする課題】
【００２５】
しかしながら、半導体の結晶化など、ごく短時間だけ基材の表面近傍を高温処理する用途に対して、従来の熱プラズマを大面積に発生させる技術は有効ではなかった。
【００２６】
従来例に示した特許文献２に記載の、熱プラズマを大面積に発生させる技術においては、広幅化はされるものの、広幅化された領域における温度分布は１００℃以上となっており、均一な熱処理の実現は不可能である。
【００２７】
また、従来例に示した特許文献３、４に記載の、熱プラズマを大面積に発生させる技術においては、本質的には熱プラズマを揺動させるものであるから、実質的に熱処理されている時間は、回転させずに走査した場合と比べて短くなるので、大面積を処理する時間が特段短くなるものではない。また、均一処理のためには回転速度を走査速度に比べて十分に大きくする必要があり、ノズルの構成が複雑化することは避けられない。
【００２８】
また、従来例に示した特許文献５に記載の技術は溶接技術であり、大面積を均一に処理するための構成ではない。仮にこれを大面積処理用途に適用しようとしても、この構成においては点状のアークが帯状電極に沿って振動するので、時間平均すると均一にプラズマが発生するものの、瞬間的には不均一なプラズマが生じている。したがって、大面積の均一処理には適用できない。
【００２９】
また、従来例に示した特許文献６に記載の技術は、非特許文献１や特許文献１に開示されているＤＣアーク放電を用いたものと異なり、誘導結合型の高周波プラズマトーチであることが特徴である。無電極放電であることから、熱プラズマの安定性に優れ（時間変化が小さい）、電極材料の基材への混入（コンタミネーション）が少ないという利点がある。
【００３０】
さて、誘導結合型プラズマトーチにおいては、高温プラズマから絶縁体材料を保護するために、絶縁体材料を二重管構成としてその間に冷媒を流す方法が一般的に採用されている。しかしながら、従来例に示した特許文献６に記載の技術においては、絶縁体材料が扁平な直方体状をなしていることから、これを単純に二重管構成としただけでは、十分な流量の冷媒を流すことができない。なぜなら、絶縁体材料は一般に金属に比べて機械的強度に劣るため、絶縁体材料を長尺方向に余りに長くすると、二重管の内圧を高くできなくなるからである。このため、大面積を均一に処理するのに限界がある。
【００３１】
なお、点状の熱プラズマであっても、その直径が大きければ大面積処理の際の走査回数を減らせるため、用途によっては短時間で処理できる。しかし、熱プラズマの直径が大きいと、走査時に熱プラズマが基材上を通過する時間が実質的に長くなるため、ごく短時間だけ基材の表面近傍のみを高温処理することはできず、基材のかなり深い領域までが高温になり、例えばガラス基板の割れや膜剥がれなどの不具合を生じることがある。
【００３２】
また、従来例に示した特許文献９に記載の技術では、先に述べた誘導結合型の高周波プラズマトーチと比較して、熱プラズマの安定性に劣り（時間変化が大きい）、電極材料の基材への混入（コンタミネーション）が多いという欠点がある。
【００３３】
また、従来例に示した特許文献６に記載の技術に見られるような誘導結合型の高周波プラズマトーチにおいては、円筒型のものが分析用あるいは溶射用に実用化されているが、プラズマの発生効率が悪く、ガス流量を増すと放電が不安定化するという欠点があった。
【００３４】
本発明はこのような課題に鑑みなされたもので、基材の表面近傍をごく短時間だけ均一に高温熱処理するに際して、あるいは、反応ガスによるプラズマまたはプラズマと反応ガス流を同時に基材へ照射して基材を低温プラズマ処理するに際して、プラズマを安定的かつ効率的に発生させることができ、基材の所望の被処理領域全体を短時間で効率よく処理することができるプラズマ処理装置を提供することを目的としている。
【課題を解決するための手段】
【００３５】
本願発明のプラズマ処理装置は、以下の構成要件をすることを特徴とする。
〔１〕線状の開口部を備えた誘電体製の環状チャンバ。
〔２〕環状チャンバの内部にガスを導入するガス供給配管。
〔３〕環状チャンバの近傍に設けられたコイル。
上記〔１〕〜〔３〕を有する誘導結合型プラズマトーチユニットと、を備え、
〔４〕コイルに接続される高周波電源。
〔５〕開口部に対向して配置され、かつ、基材を載置する基材載置台。
を有する。
【００３６】
このような構成により、基材の表面近傍をごく短時間だけ均一に高温熱処理するに際して、あるいは、反応ガスによるプラズマまたはプラズマと反応ガス流を同時に基材へ照射して基材を低温プラズマ処理するに際して、プラズマを安定的かつ効率的に発生させることができる。
【発明の効果】
【００３７】
本発明によれば、基材の表面近傍をごく短時間だけ均一に高温熱処理するに際して、あるいは、反応ガスによるプラズマまたはプラズマと反応ガス流を同時に基材へ照射して基材を低温プラズマ処理するに際して、プラズマを安定的かつ効率的に発生させることができ、基材の所望の被処理領域全体を短時間で効率よく処理することができる。
【図面の簡単な説明】
【００３８】
【図１】本発明の実施の形態１におけるプラズマ処理装置の構成を示す断面図
【図２】本発明の実施の形態１におけるプラズマ処理装置の構成を示す斜視図
【図３】本発明の実施の形態２におけるプラズマ処理装置の構成を示す断面図
【図４】本発明の実施の形態３におけるプラズマ処理装置の構成を示す断面図
【図５】本発明の実施の形態４におけるプラズマ処理装置の構成を示す断面図
【図６】本発明の実施の形態５におけるプラズマ処理装置の構成を示す断面図
【図７】本発明の実施の形態６におけるプラズマ処理装置の構成を示す断面図
【図８】本発明の実施の形態７におけるプラズマ処理装置の構成を示す断面図
【図９】本発明の実施の形態８におけるプラズマ処理装置の構成を示す断面図
【図１０】本発明の実施の形態９におけるプラズマ処理装置の構成を示す断面図
【図１１】本発明の実施の形態１０におけるプラズマ処理装置の構成を示す断面図
【図１２】本発明の実施の形態１１におけるプラズマ処理装置の構成を示す断面図
【図１３】本発明の実施の形態１１におけるプラズマ処理装置の構成を示す断面図
【図１４】本発明の実施の形態１２におけるプラズマ処理装置の構成を示す断面図
【図１５】本発明の実施の形態１３におけるプラズマ処理装置の構成を示す断面図
【図１６】従来例におけるプラズマ処理装置の構成を示す断面図
【図１７】従来例における最表面からの深さと温度の関係を示す概念図
【発明を実施するための形態】
【００３９】
以下、本発明の実施の形態におけるプラズマ処理装置について図面を用いて説明する。
【００４０】
（実施の形態１）
以下、本発明の実施の形態１について、図１及び図２を参照して説明する。
【００４１】
図１（ａ）は、本発明の実施の形態１におけるプラズマ処理装置の構成を示すもので、誘導結合型プラズマトーチユニットの長尺方向に垂直な面で切った断面図である。図１（ｂ）、（ｃ）及び（ｄ）は、誘導結合型プラズマトーチユニットの長尺方向に平行で、かつ、基材に垂直な面で切った断面図である。図１（ａ）は、図１（ｂ）の破線Ａ−Ａ’で切った断面図である。図１（ｂ）は、図１（ａ）の破線Ｂ−Ｂ’で切った断面図、図１（ｃ）は、図１（ａ）の破線Ｃ−Ｃ’で切った断面図、図１（ｄ）は、図１（ａ）の破線Ｄ−Ｄ’で切った断面図、また、図２は、図１に示した誘導結合型プラズマトーチユニットの組立構成図であり、各部品（一部）の斜視図を並べたものである。
【００４２】
図１及び図２において、基材載置台１上に基材２が載置されている。誘導結合型プラズマトーチユニットＴにおいて、導体製のソレノイドコイル３が第一石英ブロック４及び第二石英ブロック５の近傍に配置される。誘電体製の長尺チャンバは、第一石英ブロック４、第二石英ブロック５及び基材２の表面によって囲まれた空間（長尺チャンバ内部の空間７）により画定される。長尺チャンバのソレノイドコイル３に近い側の内壁面は、ソレノイドコイル３と平行な曲面である。このような構成では、ソレノイドコイル３の任意の部位において、ソレノイドコイル３から長尺チャンバまでの距離が等しくなるので、小さい高周波電力で誘導結合性プラズマの発生が可能となり、効率の良いプラズマ生成が実現できる。
【００４３】
誘導結合型プラズマトーチユニットＴは、全体が接地された導体製のシールド部材（図示しない）で囲われ、高周波の漏洩（ノイズ）が効果的に防止できるとともに、好ましくない異常放電などを効果的に防止できる。
【００４４】
長尺チャンバ内部の空間７は、内部誘電体ブロックとしての第二石英ブロック５の外壁面と、これが挿入された外部誘電体ブロックとしての第一石英ブロック４の内壁面に囲まれている。つまり、長尺チャンバは、開口部８以外が誘電体で囲まれている構成である。また、長尺チャンバ内部の空間７は環状である。ここでいう環状とは、一続きの閉じたヒモ状をなす形状を意味し、円形に限定されるものではない。
【００４５】
本実施の形態においては、レーストラック形（２つの長辺をなす直線部と、その両端に２つの短辺をなす円、楕円、または直線が連結されてなる、一続きの閉じたヒモ状の形状）の長尺チャンバを例示している。長尺チャンバ内部の空間７に発生したプラズマＰは、長尺チャンバにおける長尺で線状の開口部８において、基材２に接触する。また、長尺チャンバの長手方向と開口部８の長手方向とは平行に配置されている。また、開口部８の開口幅は、環状チャンバの太さ（環状チャンバを構成する、一続きの閉じたヒモの太さ、図１（ａ）の寸法ｄ）に等しい。
【００４６】
第二石英ブロック５の内部にプラズマガスマニホールド９が設けられている。プラズマガス供給配管１０よりプラズマガスマニホールド９に供給されたガスは、第二石英ブロック５に設けられたガス導入部としてのプラズマガス供給穴１１（貫通穴）を介して、長尺チャンバ内部の空間７に導入される。このような構成により、長手方向に均一なガス流れを簡単に実現できる。プラズマガス供給配管１０へ導入するガスの流量は、その上流にマスフローコントローラなどの流量制御装置を備えることにより制御される。
【００４７】
プラズマガス供給穴１１は、丸い穴状のものを長手方向に複数設けたものであるが、長尺のスリットであってもよい。
【００４８】
ソレノイドコイル３は中空の銅管からなり、内部が冷媒流路となっている。すなわち、水などの冷媒を流すことで、冷却が可能である。また、第一石英ブロック４及び第二石英ブロック５には、開口部８の長手方向に対して平行に冷媒流路１５が設けられている。また、第一石英ブロック４には、開口部８の長手方向に対して垂直な向きにも冷媒流路１５が設けられ、開口部８の長手方向に対して平行な冷媒流路１５と立体的に交差し、外部との間で冷媒の給排水が行われる。
【００４９】
また、第二石英ブロック５内においては、図１（ｃ）に示すように、冷媒流路が合流して束ねられ、外部との冷媒の給排水が行われる。これらの冷媒流路は、その断面が円であるから、大量の冷媒を流した際もその内圧によって構成部材の変形が起きにくい。つまり、本実施の形態においては、従来例に示した特許文献６に記載の技術において二重管構成として水冷した場合に比べて、はるかに大量の冷媒を流すことができ、効果的な冷却が可能である。
【００５０】
長方形の線状の開口部８が設けられ、基材載置台１（或いは、基材載置台１上の基材２）は、開口部８と対向して配置されている。この状態で、長尺チャンバ内にガスを供給しつつ、開口部８から基材２に向けてガスを噴出させながら、図示していない高周波電源よりソレノイドコイル３に高周波電力を供給することにより、長尺チャンバ内部の空間７にプラズマＰを発生させ、開口部８付近のプラズマを基材２に曝露することにより、基材２上の薄膜２２をプラズマ処理することができる。開口部８の長手方向に対して垂直な向きに、長尺チャンバと基材載置台１とを相対的に移動させることで、基材２を処理する。つまり、図１（ａ）の左右方向へ、図１（ｂ）（ｃ）（ｄ）の紙面に垂直な方向へ、誘導結合型プラズマトーチユニットＴまたは基材載置台１を動かす。
【００５１】
長尺チャンバ内に供給するガスとして種々のものが使用可能だが、プラズマの安定性、着火性、プラズマに暴露される部材の寿命などを考えると、不活性ガス主体であることが望ましい。なかでも、Ａｒガスが典型的に用いられる。Ａｒのみでプラズマを生成させた場合、プラズマは相当高温となる（１０，０００Ｋ以上）。
【００５２】
このようなプラズマ処理装置において、長尺チャンバ内にプラズマガス供給穴１１よりＡｒまたはＡｒ＋Ｈ2ガスを供給しつつ、開口部８から基材２に向けてガスを噴出させながら、図示していない高周波電源より１３．５６ＭＨｚの高周波電力を、ソレノイドコイル３に供給することにより、長尺チャンバ内部の空間７に高周波電磁界を発生させることでプラズマＰを発生させ、開口部８付近のプラズマを基材２に曝露するとともに走査することで、半導体膜の結晶化などの熱処理を行うことができる。
【００５３】
プラズマ発生の条件としては、走査速度＝５０〜３０００ｍｍ／ｓ、プラズマガス総流量＝１〜１００ＳＬＭ、Ａｒ＋Ｈ2ガス中のＨ2濃度＝０〜１０％、高周波電力＝０．５〜１０ｋＷ程度の値が適切である。ただし、これらの諸量のうち、ガス流量及び電力は、開口部８の長さ１００ｍｍ当たりの値である。ガス流量や電力などのパラメータは、開口部８の長さに比例した量を投入することが適切と考えられるためである。
【００５４】
このように、開口部８の長手方向と、基材載置台１とが平行に配置されたまま、開口部８の長手方向とは垂直な向きに、長尺チャンバと基材載置台１とを相対的に移動するので、生成すべきプラズマの長さと、基材２の処理長さがほぼ等しくなるように構成することが可能となる。
【００５５】
また、本実施の形態においては、長尺チャンバ内部の空間７は環状である。そして、開口部８を構成する第一石英ブロック４の最下面と基材２の表面との距離（図１（ａ）の寸法ｇ）を０．５ｍｍとしている。このような長尺チャンバの構造がもたらす効果について、以下で説明する。
【００５６】
従来例に示した特許文献６には、プラズマトーチ内部の構造は詳細に開示されていないが、一般的な円筒型の誘導結合型プラズマトーチと同様、一塊の直方体形状の空間であるものと推察される。このような空間に大気圧誘導結合型プラズマを発生させると、円環状の（ドーナツ形状の）プラズマがチャンバ内に発生しやすい。すなわち、直方体形状のチャンバ内に円環状のプラズマが発生するので、チャンバ内はその一部のみが非常に高密度のプラズマとなり、長尺方向に均一な処理を行うことが困難である。
【００５７】
一方、本実施の形態においては、長尺の環状チャンバを構成しているため、その形状に沿ってレーストラック形の細長い長尺のプラズマＰが発生する。したがって、従来例に比べて、格段に長尺方向に均一な処理を行うことができる。また、チャンバの体積が従来例に比べて小さくなることから、単位体積当たりに作用する高周波電力が増すので、プラズマ発生効率がよくなるという利点もある。
【００５８】
また、従来の一般的な誘導結合型プラズマトーチにおいては、ガス流量を増すと放電が不安定になることが指摘されている（例えば、Ｈｉｒｏｎｏｂｕ  Ｙａｂｕｔａ  ｅｔ  ａｌ．，  “Ｄｅｓｉｇｎ  ａｎｄ  ｅｖａｌｕａｔｉｏｎ  ｏｆ  ｄｕａｌ  ｉｎｌｅｔ  ＩＣＰ  ｔｏｒｃｈ  ｆｏｒ  ｌｏｗ  ｇａｓ  ｃｏｎｓｕｍｐｔｉｏｎ”，  Ｊｏｕｒｎａｌ  ｏｆ  Ａｎａｌｙｔｉｃａｌ  Ａｔｏｍｉｃ  Ｓｐｅｃｔｒｏｍｅｔｒｙ，  １７（２００２）１０９０−１０９５頁を参照）。これは、チャンバ内で環状プラズマが揺動した際に、ガス流れの下流域において環状プラズマとコイルとの距離が離れすぎて誘導結合を維持できなくなり、プラズマが失火してしまうためと考えられる。
【００５９】
一方、本実施の形態においては、開口部８を構成する第一石英ブロック４の最下面と基材２の表面との距離ｇを０．５ｍｍと極めて狭く構成しているため、環状のプラズマＰが誘導結合型プラズマトーチユニットＴと基材２との間の隙間に侵入することができず、環状チャンバ内（隙間よりも上流の領域）にとどまる。したがって、ガス流量を増しても環状のプラズマＰの揺動が起きず、極めて安定した長尺の環状のプラズマＰが維持される。したがって、従来例に比べて、格段に安定したプラズマ発生が可能となる。
【００６０】
また、プラズマＰにおいて電子密度や活性粒子密度の高い部分を基材２の表面に曝露させるので、高速な処理、あるいは、高温処理が可能となる。
【００６１】
なお、開口部８を構成する第一石英ブロック４の最下面と基材２の表面との距離ｇについて詳細に調べたところ、ｇが１ｍｍ以下である場合に環状のプラズマＰの揺動を抑制できることがわかった。ｇがあまりに小さいと、長尺方向の部品加工や組立精度の影響が増し、また、通路を通過して基材２に到達するプラズマ流が弱まるため、０．１ｍｍ以上、好ましくは０．３ｍｍ以上に構成することが望ましい。
【００６２】
また、環状チャンバの太さ（環状チャンバを構成する、一続きの閉じたヒモの太さ）ｄは、図１（ａ）においては、環状チャンバにおける、第一石英ブロック４の内壁面と、第二石英ブロック５の外壁面との間の距離ｄとして表される。また、環状チャンバの外径（環状チャンバの全体としての大きさ）をｅとすると、図１（ａ）においては、互いに向かい合った、第一石英ブロック４の内壁面の距離ｅとして表される。環状チャンバは長尺であるので、長辺部と短辺部とでは、環状チャンバの外径ｅは異なり、長辺部における環状チャンバの外径ｅの方が小さい。
【００６３】
これらの寸法ｄ（環状チャンバの太さ）、ｅ（環状チャンバの外径）について実験的に詳細に調べたところ、ｄが１ｍｍ未満であると、環状チャンバ内には高密度の熱プラズマが極めて発生しにくくなることが判明した。また、ｅが１０ｍｍ未満の場合も、環状チャンバ内には高密度の熱プラズマが極めて発生しにくくなることが判明した。こうした実験から、環状チャンバの太さは、１ｍｍ以上であることが好ましく、環状チャンバの外径は、１０ｍｍ以上であることが好ましいことがわかった。
【００６４】
また、ｄが太すぎるとプラズマ発生効率が低下するので、環状チャンバの太さｄは１０ｍｍ以下であることが望ましい。
【００６５】
（実施の形態２）
以下、本発明の実施の形態２について、図３を参照して説明する。
【００６６】
図３は本発明の実施の形態２におけるプラズマ処理装置の構成を示すもので、誘導結合型プラズマトーチユニットの長尺方向に垂直な面で切った断面図であり、図１（ａ）に相当する。
【００６７】
実施の形態２においては、長尺で線状の開口部８を、長尺チャンバの長辺に対応する位置に２箇所配置する構成としている。
【００６８】
このような構成では、基材２の表面の任意の場所が、一度の走査（誘導結合型プラズマトーチユニットＴと基材載置台１とを相対的に移動すること）で二度プラズマに曝露されることになる。したがって、より高速または高温のプラズマ処理が可能となる。
【００６９】
（実施の形態３）
以下、本発明の実施の形態３について、図４を参照して説明する。
【００７０】
図４は本発明の実施の形態３におけるプラズマ処理装置の構成を示すもので、誘導結合型プラズマトーチユニットの長尺方向に垂直な面で切った断面図であり、図１（ａ）に相当する。
【００７１】
実施の形態３においては、第一石英ブロック４及び第二石英ブロック５の高さを小さく構成している。
【００７２】
このような構成により、トーチユニットが非常に小さくなる。
【００７３】
（実施の形態４）
以下、本発明の実施の形態４について、図５を参照して説明する。
【００７４】
図５は本発明の実施の形態４におけるプラズマ処理装置の構成を示すもので、誘導結合型プラズマトーチユニットの長尺方向に垂直な面で切った断面図であり、図１（ａ）に相当する。
【００７５】
実施の形態４においては、実施の形態３と同様、第一石英ブロック４及び第二石英ブロック５の高さを小さく構成している。さらに、ソレノイドコイル３の代わりに、平面状のスパイラルコイル２１を、第二石英ブロック５の上方に設けている。
【００７６】
このような構成により、トーチユニットが非常に小さくなる。
【００７７】
（実施の形態５）
以下、本発明の実施の形態５について、図６を参照して説明する。
【００７８】
図６は本発明の実施の形態５におけるプラズマ処理装置の構成を示すもので、誘導結合型プラズマトーチユニットの長尺方向に垂直な面で切った断面図であり、図１（ａ）に相当する。
【００７９】
実施の形態５においては、第二石英ブロック５の下方を、基材載置台１に平行な面で切った断面が同じ形状になるよう構成するとともに、第一石英ブロック４の中間部に外側に向けて溝を形成する（図の左側の長辺）とともに、第一石英ブロック４の下部に外側に向けて凹部を形成する（図の右側の長辺）することで、これら溝及び凹部と第二石英ブロック５の外壁面との間に長尺チャンバ内部の空間７を構成している。
【００８０】
（実施の形態６）
以下、本発明の実施の形態６について、図７を参照して説明する。
【００８１】
図７は本発明の実施の形態６におけるプラズマ処理装置の構成を示すもので、誘導結合型プラズマトーチユニットの長尺方向に垂直な面で切った断面図あり、図１（ａ）に相当する。
【００８２】
図７において、内部が冷媒流路を構成する銅管１２が、第二石英ブロック５の内側に設けられた凹部内に、接着剤１４により接合されている。銅管１２は接地され、プラズマの着火性向上に寄与している。第一石英ブロック４に対しては、その外壁面に誘電体管としての石英管１３が接着剤１４により接合される。また、ソレノイドコイル３が第一石英ブロック４の外壁面に接着剤１４により接合されており、ソレノイドコイル３自身と第一石英ブロック４の両方を冷却することができる構造である。
【００８３】
また、第二石英ブロック５の凹部においては、銅管１２内に冷媒を流すことで、凹部を効果的に冷却するとともに、プラズマＰに接する第二石英ブロック５の外壁面（長尺チャンバの内壁面）を効果的に冷却することができる。
【００８４】
また、第二石英ブロック５に上方から凹部を形成しているため、プラズマガスマニホールド９及びプラズマガス供給配管１０を、トーチユニットの長尺方向に対して平行に２箇所ずつ設ける構成としている。このような構成では、２つのガス供給系（プラズマガスマニホールド９及びプラズマガス供給配管１０）のガス流量バランスを制御できるという利点もある。
【００８５】
（実施の形態７）
以下、本発明の実施の形態７について、図８を参照して説明する。
【００８６】
図８は本発明の実施の形態７におけるプラズマ処理装置の構成を示すもので、誘導結合型プラズマトーチユニットの長尺方向に垂直な面で切った断面図あり、図１（ａ）に相当する。
【００８７】
図８において、第一石英ブロック４の最下部に張り出し部４ａが設けられ、ソレノイドコイル３と基材２の間にプラズマガスが主成分となる空間ができないように構成されている。
【００８８】
このような構成により、プラズマＰとソレノイドコイル３との間でアーク放電が起きることを効果的に抑制できる。
【００８９】
（実施の形態８）
以下、本発明の実施の形態８について、図９を参照して説明する。
【００９０】
図９は本発明の実施の形態８におけるプラズマ処理装置の構成を示すもので、誘導結合型プラズマトーチユニットの長尺方向に垂直な面で切った断面図あり、図１（ａ）に相当する。
【００９１】
図９において、第二石英ブロック５の内側に設けられた凹部内に、ソレノイドコイル３が挿入されている。ソレノイドコイル３の中心軸は、図の紙面上、上下方向である。
【００９２】
このような構成により、誘導結合型プラズマトーチユニットＴが小型化できる。また、環状チャンバ内の放電や開口部８直下の基材２表面の視認性が高まるので、発光モニタリング、温度モニタリングなどの種々のモニタリングが容易に行える。また、プラズマＰとソレノイドコイル３が空間的に分離されるので、プラズマＰとソレノイドコイル３との間でアーク放電が起きることを効果的に抑制できる。
【００９３】
（実施の形態９）
以下、本発明の実施の形態９について、図１０を参照して説明する。
【００９４】
図１０は本発明の実施の形態９におけるプラズマ処理装置の構成を示すもので、誘導結合型プラズマトーチユニットの長尺方向に垂直な面で切った断面図あり、図１（ａ）に相当する。
【００９５】
図１０において、第二石英ブロック５の内側に設けられた凹部内に、ソレノイドコイル３が挿入されている。ソレノイドコイル３の中心軸は、図の紙面上、左右方向である。また、実施の形態１〜８においては、ソレノイドコイル３の中心軸が基材２に垂直で、かつ、環状チャンバがなす面が基材２に概ね平行であったのに対して、本実施の形態においては、ソレノイドコイル３の中心軸が基材２に平行で、かつ、環状チャンバがなす面が基材２に垂直となる構成としている。
【００９６】
このような構成により、誘導結合型プラズマトーチユニットＴが小型化できる。また、環状チャンバ内の放電や開口部８直下の基材２表面の視認性が高まるので、発光モニタリング、温度モニタリングなどの種々のモニタリングが容易に行える。また、プラズマＰとソレノイドコイル３が空間的に分離されるので、プラズマＰとソレノイドコイル３との間でアーク放電が起きることを効果的に抑制できる。
【００９７】
（実施の形態１０）
以下、本発明の実施の形態１０について、図１１を参照して説明する。
【００９８】
図１１は本発明の実施の形態１０におけるプラズマ処理装置の構成を示すもので、誘導結合型プラズマトーチユニットの長尺方向に垂直な面で切った断面図ある。図１１（ａ）は誘導結合型プラズマトーチユニットＴの着火シーケンス・加速を実施する準備段階を示し、図１１（ｂ）はプラズマ処理中の段階を示し、図１１（ｃ）はプラズマ処理が完了した後に減速・失火を実施する段階を示す。
【００９９】
図１１において、基材載置台１の両隣に、平板状のカバー１６が設けられている。カバー１６は、基材２が配置された際に基材２の縁部を囲うように、基材載置台１の周囲に設けられる。また、カバー１６の表面と、基材２の表面が、同一平面上に位置するよう構成される。カバー１６の内部には、カバー１６を冷却するための冷媒流路１７が設けられている。カバー１６は、装置をプラズマから保護する機能と、プラズマの着火・失火をスムーズに行えるよう、環状チャンバの形状を一定に保つ機能がある。基材２を基材載置台１上に載置した際に、カバー１６と基材２との間に生ずる隙間ｗはできるだけ小さい方が好ましい。
【０１００】
なお、カバー１６の少なくとも表面は、絶縁材料から構成されていることが好ましい。このような構成により、プラズマとカバー１６との間でアーク放電が起きることを効果的に抑制できる。カバー１６の少なくとも表面を絶縁材料から構成するに際して、カバー１６全体を石英、セラミックスなどの絶縁体で構成してもよいし、ステンレス、アルミニウムなどの金属（導体）に、溶射、ＣＶＤ、塗工などにより絶縁皮膜を形成したものを用いてもよい。
【０１０１】
（実施の形態１１）
以下、本発明の実施の形態１１について、図１２及び図１３を参照して説明する。
【０１０２】
図１２は本発明の実施の形態１１におけるプラズマ処理装置の構成を示すもので、誘導結合型プラズマトーチユニットの長尺方向に垂直な面で切った断面図ある。図１２は、誘導結合型プラズマトーチユニットＴの着火シーケンス・加速を実施する準備段階を示している。また、図１３は、本発明の実施の形態１１におけるプラズマ処理装置の構成を示すもので、誘導結合型プラズマトーチユニットの長尺方向に平行で、かつ、基材に垂直な面で切った断面図であり、図１（ｄ）に相当する。
【０１０３】
実施の形態１０においては、基材２を基材載置台１上に載置した際に、カバー１６と基材２との間に隙間ｗが生じる場合を例示したが、本実施の形態においては、図１２に示すように、この隙間ができないように構成している。実施の形態１０においては、誘導結合型プラズマトーチユニットＴが隙間ｗの近傍を通り過ぎる時に、プラズマが揺らいだり失火したりすることがあり得るが、本実施の形態ではこれを効果的に抑制できる。このような構成を実現するには、カバー１６を可動にしておき、基材２を基材載置台１上に載置した後、モータ駆動機構、エア駆動機構、バネ駆動機構などを適宜用いてカバー１６を基材２に向けてゆっくりと近づけ、押し当てる方法が考えられる。
【０１０４】
また、図１３において、開口部８の長さが基材２の幅以上となっているので、一度の走査（誘導結合型プラズマトーチユニットＴと基材載置台１とを相対的に移動すること）で基材２の表面近傍の薄膜２２の全体を処理することができる。基材載置台１の両隣に、平板状のカバー１６が設けられている。カバー１６は、装置をプラズマから保護する機能と、プラズマ不安定化・失火を抑制できるよう、環状チャンバの形状を一定に保つ機能がある。
【０１０５】
なお、図１３においては、カバー１６の内部に冷媒流路を設けていないが、これは、誘導結合型プラズマトーチユニットＴがカバー１６上を短時間で通り過ぎるため、誘導結合型プラズマトーチユニットＴからカバー１６への熱エネルギー流入が比較的小さいためである。処理の性質によっては、冷媒流路を設けて水冷することが好ましい場合もありうる。
【０１０６】
（実施の形態１２）
以下、本発明の実施の形態１２について、図１４を参照して説明する。
【０１０７】
図１４は本発明の実施の形態１２におけるプラズマ処理装置の構成を示すもので、誘導結合型プラズマトーチユニットの長尺方向に垂直な面で切った断面図あり、図１（ａ）に相当する。
【０１０８】
図１４において、長尺で線状の開口部８を構成する線状の隙間を隔てて、第三石英ブロック１８及び第四石英ブロック１９が誘導結合型プラズマトーチユニットＴの最下部に設けられ、第一石英ブロック４及び第二石英ブロック５との間に、環状チャンバ内部の空間を構成している。第三石英ブロック１８及び第四石英ブロック１９は、少なくとも一方が図の左右方向にスライド可能なように構成され、開口部８の開口幅が可変となっている。
【０１０９】
このような構成により、基材２へのプラズマ曝露の強度や、プラズマに曝露される時間などの処理パラメータを制御することができる。
【０１１０】
（実施の形態１３）
以下、本発明の実施の形態１３について、図１５を参照して説明する。
【０１１１】
図１５は本発明の実施の形態１３におけるプラズマ処理装置の構成を示すもので、誘導結合型プラズマトーチユニットの長尺方向に垂直な面で切った断面図あり、図１（ａ）に相当する。
【０１１２】
図１５において、ソレノイドコイル３の中心軸は、図の紙面上、左右方向である。また、実施の形態９と同様、ソレノイドコイル３の中心軸が基材２に平行で、かつ、環状チャンバがなす面が基材２に垂直となる構成としている。ソレノイドコイル３は、中心軸に対して少し傾斜して配置されているが、環状チャンバに十分近接しているので、環状チャンバ内部の空間に高密度プラズマを生成することができる。ソレノイドコイル３と基材２との間には誘電体ブロック２０が設けられ、プラズマから供給された荷電粒子がソレノイドコイル３に到達しないような構造となっている。
【０１１３】
このような構成により、誘導結合型プラズマトーチユニットＴが小型化できる。また、環状チャンバ内の放電や開口部８直下の基材２表面の視認性が高まるので、発光モニタリング、温度モニタリングなどの種々のモニタリングが容易に行える。また、プラズマＰとソレノイドコイル３が空間的に分離されるので、プラズマＰとソレノイドコイル３との間でアーク放電が起きることを効果的に抑制できる。
【０１１４】
以上述べたプラズマ処理装置及び方法は、本発明の適用範囲のうちの典型例を例示したに過ぎない。
【０１１５】
例えば、誘導結合型プラズマトーチユニットＴを、固定された基材載置台１に対して走査してもよいが、固定された誘導結合型プラズマトーチユニットＴに対して、基材載置台１を走査してもよい。
【０１１６】
また、本発明の種々の構成によって、基材２の表面近傍を高温処理することが可能となる。加えて、従来例で詳しく述べたＴＦＴ用半導体膜の結晶化や太陽電池用半導体膜の改質に適用可能であることは勿論、プラズマディスプレイパネルの保護層の清浄化や脱ガス低減、シリカ微粒子の集合体からなる誘電体層の表面平坦化や脱ガス低減、種々の電子デバイスのリフロー、固体不純物源を用いたプラズマドーピングなど、さまざまな表面処理に適用できる。また、太陽電池の製造方法としては、シリコンインゴットを粉砕して得られる粉末を基材上に塗布し、これにプラズマを照射して溶融させ多結晶シリコン膜を得る方法にも適用可能である。
【０１１７】
また、プラズマの着火を容易にするために、着火源を用いることも可能である。着火源としては、ガス給湯器などに用いられる点火用スパーク装置などを利用できる。
【０１１８】
また、長尺の環状チャンバを構成するのではなく、円筒状の石英ブロック、円筒状に成形された導体製のソレノイドコイル３などを用いて、円筒状のトーチユニットを用いることも考えられる。
【０１１９】
なお、絶縁体の基材２を用いる場合は、本発明の適用は比較的容易であるが、基材２が導体や半導体である場合、あるいは、薄膜２２が導体や半導体である場合は、基材２の表面でアーク放電が発生しやすい。これを防ぐため、基材２の表面に絶縁膜を形成した後に、基材２の表面を処理する方法を用いることができる。
【０１２０】
また、説明においては簡単のため「熱プラズマ」という言葉を用いているが、熱プラズマと低温プラズマの区分けは厳密には難しく、また、例えば、田中康規「熱プラズマにおける非平衡性」プラズマ核融合学会誌、Ｖｏｌ．８２、Ｎｏ．８（２００６）ｐｐ．４７９−４８３において解説されているように、熱的平衡性のみでプラズマの種類を区分することも困難である。本発明は、基材を熱処理することを一つの目的としており、熱プラズマ、熱平衡プラズマ、高温プラズマなどの用語にとらわれず、高温のプラズマを照射する技術に関するものに適用可能である。
【０１２１】
また、基材の表面近傍をごく短時間だけ均一に高温熱処理する場合について詳しく例示したが、反応ガスによるプラズマまたはプラズマと反応ガス流を同時に基材へ照射して基材を低温プラズマ処理する場合においても、本発明は適用できる。プラズマガスに反応ガスを混ぜることにより、反応ガスによるプラズマを基材へ照射し、エッチングやＣＶＤが実現できる。
【０１２２】
あるいは、プラズマガスとしては希ガスまたは希ガスに少量のＨ2ガスを加えたガスを用いつつ、シールドガスとして反応ガスを含むガスを供給することによって、プラズマと反応ガス流を同時に基材へ照射し、エッチング、ＣＶＤ、ドーピングなどのプラズマ処理を実現することもできる。プラズマガスとしてアルゴンを主成分とするガスを用いると、実施例で詳しく例示したように、熱プラズマが発生する。
【０１２３】
一方、プラズマガスとしてヘリウムを主成分とするガスを用いると、比較的低温のプラズマを発生させることができる。このような方法で、基材をあまり加熱することなく、エッチングや成膜などの処理が可能となる。エッチングに用いる反応ガスとしては、ハロゲン含有ガス、例えば、ＣxＦy（ｘ、ｙは自然数）、ＳＦ6などがあり、シリコンやシリコン化合物などをエッチングすることができる。
【０１２４】
反応ガスとしてＯ2を用いれば、有機物の除去、レジストアッシングなどが可能となる。ＣＶＤに用いる反応ガスとしては、モノシラン、ジシランなどがあり、シリコンやシリコン化合物の成膜が可能となる。あるいは、ＴＥＯＳ（Ｔｅｔｒａｅｔｈｏｘｙｓｉｌａｎｅ）に代表されるシリコンを含有した有機ガスとＯ2の混合ガスを用いれば、シリコン酸化膜を成膜することができる。
【０１２５】
その他、撥水性・親水性を改質する表面処理など、種々の低温プラズマ処理が可能である。従来技術（例えば、特許文献７に記載のもの）に比較すると、誘導結合型であるため、単位体積あたり高いパワー密度を投入してもアーク放電に移行しにくいため、より高密度なプラズマが発生可能であり、その結果、速い反応速度が得られ、基材の所望の被処理領域全体を短時間で効率よく処理することが可能となる。
【産業上の利用可能性】
【０１２６】
以上のように本発明は、ＴＦＴ用半導体膜の結晶化や太陽電池用半導体膜の改質に適用可能である。勿論、プラズマディスプレイパネルの保護層の清浄化や脱ガス低減、シリカ微粒子の集合体からなる誘電体層の表面平坦化や脱ガス低減、種々の電子デバイスのリフロー、固体不純物源を用いたプラズマドーピングなど、さまざまな表面処理において、基材の表面近傍をごく短時間だけ均一に高温熱処理するに際して、プラズマを安定的かつ効率的に発生させ、基材の所望の被処理領域全体を短時間で効率よく処理する上で有用な発明である。
【０１２７】
また、種々の電子デバイスなどの製造における、エッチング・成膜・ドーピング・表面改質などの低温プラズマ処理において、基材の所望の被処理領域全体を短時間で効率よく処理する上で有用な発明である。
【符号の説明】
【０１２８】
１  基材載置台
２  基材
Ｔ  誘導結合型プラズマトーチユニット
３  ソレノイドコイル
４  第一石英ブロック
５  第二石英ブロック
７  長尺チャンバ内部の空間
８  開口部
９  プラズマガスマニホールド
１０  プラズマガス供給配管
１１  プラズマガス供給穴
１５，１７  冷媒流路
Ｐ  プラズマ
２２  薄膜
【図１】
2015144129.tif 000003
【図２】
2015144129.tif 000004
【図３】
2015144129.tif 000005
【図４】
2015144129.tif 000006
【図５】
2015144129.tif 000007
【図６】
2015144129.tif 000008
【図７】
2015144129.tif 000009
【図８】
2015144129.tif 000010
【図９】
2015144129.tif 000011
【図１０】
2015144129.tif 000012
【図１１】
2015144129.tif 000013
【図１２】
2015144129.tif 000014
【図１３】
2015144129.tif 000015
【図１４】
2015144129.tif 000016
【図１５】
2015144129.tif 000017
【図１６】
2015144129.tif 000018
【図１７】
2015144129.tif 000019